(57)【要約】　　　（修正有）【課題】活字で形成される書籍や雑誌などは、送り手側からの十分な情報を伝えることが困難であり、十分な情報を伝えるためには重量にも問題があったし、コンピュータによる電子出版も画面の固定化によりスクロールしながら活字を追うために読みづらい点があった。本発明は音声による必要な情報を読み手に伝達する音声ブックである。【解決手段】本発明は、情報素材１の内容をデータ抽出番号２によりデータファイル４を介し、イヤホーン７あるいはスピーカ８からの音声による書籍などの二次情報３の詳細情報を聞き取り手段６によって、必要な情報を読み手に伝達することを特徴とした音声ブックである。【選択図】　　図１
2004106504.tif 000002
【特許請求の範囲】
【請求項１】
活字で形成される書籍や雑誌類のほか、ガイドブック、マニュアルブックなどの情報素材を書誌事項、索引、記事、写真、データごとに、データ抽出番号を付与した二次情報と、
薄いフイルムに焼きつけた集積回路に、前記データ抽出番号を付与した二次情報を蓄積したデータファイルと、
該データファイルから書籍や雑誌類のほか、ガイドブック、マニュアルブックなどの情報素材に連動した項目を選択する選択手段と、
該選択手段で選択されたデータファイル内の二次情報をイヤホーンあるいはスピーカなどで聞き取る聞き取り手段とで構成され、
活字で形成される書籍や雑誌類のほか、ガイドブック、マニュアルブックなどの情報素材の内容を、データ抽出番号によりデータファイルを介し、イヤホーンあるいはスピーカからの音声による書籍などの二次情報の詳細情報を聞き取りる手段によって、必要な情報を読み手に伝達することを特徴とする音声ブック。
【請求項２】
活字で形成される書籍や雑誌類のほか、ガイドブック、マニュアルブックなどの情報素材を、書誌事項、索引、記事、写真、データごとに、データ抽出番号を付与して蓄積し、詳細な情報を要求する場合に、データファイルに印刷されているデータ抽出番号を選択することにより、詳細な情報がモアインフォーメーションとして呼び出され、イヤホーンあるいはスピーカによって必要な情報を読み手に伝達することを特徴とする音声ブック。
【請求項３】
電子回路と操作回路を組込んだ薄い定規状のユニットを本の背表紙部分へ組込み、上部に引き出して操作するか、あるいは電子回路と操作部とバッテリーを一体化したカード状のユニットを表紙または裏表紙に組込み、該カード状のユニットを引き出して操作することを特徴とする音声ブック。
【請求項４】
音声データと通信回路を一体化し、さらに情報素材の重要内容を記号化、キーワードしたモジュールを本の表紙または裏表紙・背表紙に埋め込み、操作部・表示部・通信部は汎用・共通部分として一体化して、本の下に敷いて使用し、埋め込みモジュールはバッテリーを内蔵せず、操作部からの高周波による電磁誘導による電力で動作することを特徴とする音声ブック。
【発明の詳細な説明】
【０００１】
【発明の属する技術分野】
本発明は、活字で形成される書籍や雑誌類のほか、ガイドブック、マニュアルブックなどの内容をデータファイルとして蓄積し、該データファイルから書籍と連動した項目を選択して、イヤホーン、あるいはスピーカからの音声による書籍の詳細情報を聞き取り、音声による必要な情報を読み手に伝達する音声ブックである。
【０００２】
【従来の技術】
従来、書籍や雑誌類のほか、ガイドブック、マニュアルブックなどは、活字や写真によって、書籍の情報を読み手に伝達していたが、残念ながら紙面スペースの関係から、送り手側からの十分な情報を伝えることが困難であり、十分な情報を伝えるためには、重量に問題があった。
【０００３】
最近のコンピュータによる電子出版的発想もあるが、画面の固定化によりスクロールしながら活字を追うこともやはり読みづらい点など、一長一短の部分を否めないところがあった。
【０００４】
【発明が解決しようとする課題】
従来行われていた方法は、残念ながら紙面スペースの関係から、送り手側からの十分な情報を伝えることが困難であったが、書籍などの情報量に関係なく、書籍などの軽量化をもたらし、保管管理や携帯性にも多大な利便性を発揮することが課題となっている。
【０００５】
【課題を解決するための手段】
本発明は、上記課題を解決するためになされたもので、具体的に説明すると、図１に示すように活字で形成される書籍や雑誌類のほか、ガイドブック、マニュアルブックなどの情報素材１を書誌事項、索引、記事、写真、データごとに、データ抽出番号２を付与した二次情報３と、
薄いフイルムに焼きつけた集積回路に、前記データ抽出番号２を付与した二次情報３を蓄積したデータファイル４と、
該データファイル４から書籍や雑誌類のほか、ガイドブック、マニュアルブックなどの情報素材１に連動した項目を選択する選択手段５と、
該選択手段５で選択されたデータファイル４内の二次情報３をイヤホーン７あるいはスピーカ８などで聞き取る聞き取り手段６とで構成され、
活字で形成される書籍や雑誌類のほか、ガイドブック、マニュアルブックなどの情報素材１の内容を、データ抽出番号２によりデータファイル４を介し、イヤホーン７あるいはスピーカ８からの音声による書籍などの二次情報３の詳細情報を聞き取り手段６によって、必要な情報を読み手に伝達することを特徴とした音声ブックである。
【０００６】
また、活字で形成される書籍や雑誌類のほか、ガイドブック、マニュアルブックなどの情報素材１を、書誌事項、索引、記事、写真、データごとに、データ抽出番号２を付与して蓄積し、詳細な情報を要求する場合に、データファイル４を介し、データファイル４に記憶されているデータ抽出番号２を選択することにより、詳細な情報がモアインフォーメーションとして呼び出され、イヤホーン７あるいはスピーカ８によって必要な情報を読み手に伝達することを特徴とした音声ブックである。
【０００７】
さらに、電子回路と操作回路を組込んだ薄い定規状ユニット９を書籍１０の背表紙部分１１へ組込み、上部に引き出して操作するか、あるいは電子回路と操作部とバッテリーを一体化したカード状ユニット１２を、表紙１３または裏表紙１４に組込み、該カード状ユニット１２を引き出して操作することを特徴とする音声ブックである。
【０００８】
また、音声データと通信回路を一体化し、さらに、情報素材の重要内容を記号化、キーワード化したモジュール１５を書籍１６の表紙１７または裏表紙１８・背表紙１９に埋め込み、操作部２０・表示部２１・通信部２２は汎用・共通部分として一体化して、書籍１６の下に敷いて使用し、埋め込まれたモジュール１５はバッテリーを内蔵せず、通信部２２からの高周波による電磁誘導による電力で動作することを特徴としている音声ブックである。
【０００９】
「観光ガイドブック」で具体的に説明すると、印刷されたガイドブックの部分では、従来通りの写真と記事によるガイド概要や観光案内情報に、データ抽出番号２、記号、キーワードなどがそれぞれ記憶されており、詳しい情報を要求する場合は、データが蓄積されたデータファイル４に記憶されているデータ抽出番号２を指で選択することにより、詳細な情報がモアインフォーメーションとして呼び出され、イヤホーン７あるいはスピーカ８によって必要な情報を読み手に伝達することができるようになっている。
【００１０】
従って、観光ガイドブックを見ながら、目的の史跡や観光景勝地の案内を聞きながらガイドされ、利用の簡便性によって若者を初めとして、コンピュータ等に不慣れな老人や中高年者、女性、身体に障害を持つ方々、外国人など幅広く活用される音声ブックとなるものである。
【００１１】
「絵画図書」で具体的に説明すると、印刷の部では情報素材１としての絵画の写真と解説記事がデータ抽出番号２としてそれぞれ記憶されており、詳しい情報を要求する場合は、データが蓄積されたデータファイル４に記憶されているデータ抽出番号２を指で選択することにより、詳細な情報がモアインフォーメーションとして呼び出され、イヤホーン７あるいはスピーカ８によって作者の音声による解説や絵画の紹介がなされ、作者自身のメッセージ等を閲覧する人々に伝えることができ、より意味深い絵画鑑賞を楽しめ、必要な情報を読み手に伝達することができるようになっている。
【００１２】
「マニュアルブック」で具体的に説明すると、手引きや便覧などのマニュアルブックについて、利用者に解説する場合、大変複雑なケースが多く読む人々に困難を与えているため、印刷の部では情報素材１としてのマニュアルがデータ抽出番号２としてそれぞれ記憶されており、詳しい情報を要求する場合は、データが蓄積されたデータファイル４に記憶されているデータ抽出番号２を指で選択することにより、詳細な情報がモアインフォーメーションとして呼び出され、イヤホーン７あるいはスピーカ８によって作者の音声によるデータの紹介がなされ、必要な情報を読み手に容易に伝達することができるようになっている。
【００１３】
本発明の音声ブックの実施例について詳細に説明すると、図２、図３に示す「音声ブック一体型」と図４に示す「音声ブック分離型」が提案され、「音声ブック一体型」においては、「背表紙組み込み型」と「表紙又は裏表紙組み込み型」に分けられている。
【００１４】
「音声ブック一体型」のうち、図２の「背表紙組み込み型」について説明すると、電子回路と操作回路を組込み、表示部２７、複数の操作釦２４を配設した薄い定規状ユニット９を書籍１０の背表紙部分１１へ組込み、上部に引き出して操作するものであり、図３の「表紙又は裏表紙組み込み型」では、電子回路と操作部とバッテリーを組込み、表示部２８、複数の操作釦２５を配設し、一体化したカード状ユニット１２を表紙１３または裏表紙１４に組込み、該カード状ユニット１２を引き出して操作するものであるが、図３では、表紙１３に組込んた状態を表している。
【００１５】
右開き書籍ではカード状ユニット１２を表紙１３に組込み、右側に回転させて引き出して使用するもので、左開き書籍ではカード状ユニット１２を裏表紙１４に組込み、左側に回転させて引き出して使用することになっている。
【００１６】
「音声ブック分離型」について、図４に従って詳細に説明すると、音声データと通信回路を一体化したモジュール１５を、書籍１６の表紙１７、または裏表紙１８あるいは背表紙１９に埋め込み、操作部２０・表示部２１・通信部２２は汎用・共通部分２３として一体化し、表示部２１と複数の操作釦２６は表面に配設されている。
【００１７】
使用に際しては、汎用・共通部分２３として一体化された操作部２０・表示部２１・通信部２２は、書籍１６の下に敷いて使用し、モジュール１５はバッテリーを内蔵せず、通信部２２からの高周波による電磁誘導による電力で動作することも可能となっている。
【００１８】
【発明の効果】
本発明によれば、活字で形成される書籍や雑誌類などの内容をデータファイル４として蓄積し、該データファイル４から書籍などと連動した項目を選択して、イヤホーン７、あるいはスピーカ８からの音声による書籍などの詳細情報を聞き取り手段６により音声による必要な情報を読み手に伝達することができるようになった。
【００１９】
従来は、書籍や雑誌類のほか、ガイドブック、マニュアルブックなどは、活字や写真によって、書籍の情報を読み手に伝達していたが、残念ながら紙面スペースの関係から、送り手側からの十分な情報を伝えることが困難であり、十分な情報を伝えるためには、重量に問題があったが、本発明では書籍などの情報素材の情報量に関係なく、書籍の軽量化が図られ、保管管理や携帯性にも多大な利便性を発揮することになった。
【００２０】
また、コンピュータによる電子出版についても、画面の固定化によりスクロールしながら活字を追うなど、やはり読みづらい点など、一長一短の部分を否めないところがあったが、残念ながら紙面スペースの関係から、送り手側からの十分な情報を伝えることが困難であったが、高齢化社会の到来で、書籍などの情報量に関係なく、書籍などの軽量化をもたらし、かつ、困難になってきた視覚による情報素材の理解と判断が簡単にできるようになってきた。
【図面の簡単な説明】
【図１】、音声ブックのフローチャートである。
【図２】、音声ブック一体型の背表紙組み込み型概要図。
【図３】、音声ブック一体型の表紙又は裏表紙組み込み型概要図。
【図４】、音声ブック分離型の概要図。
【符号の説明】
１．情報素材　　　　　２．データ抽出番号　　３．二次情報
４．データファイル　　５．選択手段　　　　　６．聞き取り手段
７．イヤホーン　　　　８．スピーカ　　　　　９．定規状ユニット
１０．書　　　籍　　　１１．背表紙部分　　　１２．カード状ユニット
１３．表　　　紙　　　１４．裏　表　紙　　　１５．モジュール
１６．書　　　籍　　　１７．表　　　紙　　　１８．裏　表　紙
１９．背　表　紙　　　２０．操　作　部　　　２１．表　示　部
２２．通　信　部　　　２３．汎用・共通部分　２４．操　作　釦
２５．操　作　釦　　　２６．操　作　釦　　　２７．表　示　部
２８．表　示　部　　　２９．カード状ユニット
【図１】
2004106504.tif 000003
【図２】
2004106504.tif 000004
【図３】
2004106504.tif 000005
【図４】
2004106504.tif 000006